【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
ローラを回転することにより記録媒体を搬送するローラユニットであって、
前記ローラの内部に、前記記録媒体に湿潤を付与する湿潤発生手段を備えたことを特徴とするローラユニット。
【請求項２】
中空部を有するとともに、回転可能なローラと、
前記中空部に配された湿潤発生手段とを有することを特徴とするローラユニット。
【請求項３】
請求項１又は２に記載のローラユニットにおいて、
前記湿潤発生手段は、前記ローラの回転に付随しない状態に設けられていることを特徴とするローラユニット。
【請求項４】
請求項１乃至３の何れかに記載のローラユニットにおいて、
前記湿潤発生手段は、液体を収容する液体収容手段と、前記液体収容手段に収容される前記液体を用いて前記湿潤な雰囲気にする加熱手段とを含むことを特徴とするローラユニット。
【請求項５】
請求項１乃至３の何れかに記載のローラユニットにおいて、
前記湿潤発生手段は、液体を収容する液体収容手段と、前記液体収容手段に収容される前記液体に超音波振動を付与して前記湿潤な雰囲気にする超音波発生手段とを含むことを特徴とするローラユニット。
【請求項６】
請求項１乃至３の何れかに記載のローラユニットにおいて、
前記湿潤発生手段は、液体を収容する液体収容手段と、前記液体収容手段に収容される前記液体に外面が接触可能に配されるとともに前記ローラに従動して回転する転写ローラと、湿潤量を調節する湿潤調節手段とを含むことを特徴とするローラユニット。
【請求項７】
請求項６に記載のローラユニットにおいて、
前記湿潤調節手段は、前記転写ローラと前記液体収容手段にある前記液体との接触量を増減可能に構成されていることを特徴とするローラユニット。
【請求項８】
請求項６に記載のローラユニットにおいて、
前記湿潤調節手段は、転写ローラに対して接触する前記液体収容手段にある前記液体の接触量を増減可能に構成されていることを特徴とする記録装置。
【請求項９】
請求項１乃至３の何れかに記載のローラユニットにおいて、
前記湿潤発生手段は、液体を収容する液体収容手段と、前記液体収容手段に収容される前記液体の液滴を吐出することで前記湿潤な雰囲気にする液体吐出ヘッドとを含むことを特徴とするローラユニット。
【請求項１０】
請求項１乃至９の何れか一項に記載のローラユニットにおいて、
前記ローラは、前記湿潤発生手段により発生する前記湿潤な雰囲気を、前記ローラの外周側に伝達する伝達手段を含むことを特徴とするローラユニット。
【請求項１１】
請求項１０に記載のローラユニットにおいて、
前記伝達手段は、前記ローラの前記中空部側に位置する内面と前記ローラの外周側に位置する外面とを貫通する孔であることを特徴とするローラユニット。
【請求項１２】
請求項１乃至１１の何れか一項に記載のローラユニットにおいて、
前記ローラは、駆動ローラと、前記駆動ローラに従動する従動ローラを含み、前記駆動ローラと前記従動ローラとで、前記記録媒体を搬送するローラ対を構成することを特徴とするローラユニット。
【請求項１３】
請求項４乃至９の何れか一項に記載のローラユニットにおいて、
前記液体は、機能性液体であることを特徴とするローラユニット。
【請求項１４】
記録媒体に液滴を吐出し前記記録媒体に記録する記録部と、
回転することにより前記記録媒体を搬送するローラと、
前記ローラの内部に記録媒体に湿潤を付与する湿潤発生手段とを備えた記録装置。
【請求項１５】
記録媒体に液滴を吐出し前記記録媒体に記録する記録部と、
中空部を有するとともに、回転可能なローラと、
前記中空部に配された湿潤発生手段とを有することを特徴とする記録装置。
【手続補正２】
【補正対象書類名】明細書
【補正対象項目名】０００７
【補正方法】変更
【補正の内容】
【０００７】
上記問題を解決するために、本発明のローラユニットは、ローラを回転することにより記録媒体を搬送するローラユニットであって、前記ローラの内部に、前記記録媒体に湿潤を付与する湿潤発生手段を備えたことを特徴とする。
また、本発明のローラユニットは、中空部を有するとともに回転可能なローラと、前記中空部に配された湿潤発生手段とを有することを特徴とする。
上記構成によれば、記録媒体を搬送するローラの内部に湿潤発生手段を備えたことにより、記録媒体に湿潤を確実に付与することができる。また、ローラユニットを用いる記録装置などの小型化を図ることができる。
【手続補正３】
【補正対象書類名】明細書
【補正対象項目名】０００８
【補正方法】変更
【補正の内容】
【０００８】
本発明のローラユニットでは、前記湿潤発生手段は、前記ローラの回転に付随しない状態に設けられていることを特徴とする。
上記構成によれば、湿潤発生手段がローラの回転に付随しない状態に設けられていることにより、記録媒体に付与する液体を、回転するローラの内部に容易に収容することができると共に、湿潤発生手段および湿潤のメンテナンスが容易にできる。
【手続補正４】
【補正対象書類名】明細書
【補正対象項目名】０００９
【補正方法】変更
【補正の内容】
【０００９】
本発明のローラユニットでは、前記湿潤発生手段は、液体を収容する液体収容手段と、前記液体収容手段に収容される前記液体を用いて前記湿潤な雰囲気にする加熱手段とを含むことを特徴とする。
上記構成によれば、液体収容手段に収容される液体に加熱手段で加熱することにより、記録媒体に付与する湿潤を容易に放出することができる。
【手続補正５】
【補正対象書類名】明細書
【補正対象項目名】００１０
【補正方法】変更
【補正の内容】
【００１０】
本発明のローラユニットでは、前記湿潤発生手段は、液体を収容する液体収容手段と、前記液体収容手段に収容される前記液体に超音波振動を付与して前記湿潤な雰囲気にする超音波発生手段とを含むことを特徴とする。
上記構成によれば、液体収容手段に収容される液体に超音波発生手段の超音波を用いることにより、記録媒体に付与する湿潤（ミスト）を容易に放出することができる。
【手続補正６】
【補正対象書類名】明細書
【補正対象項目名】００１１
【補正方法】変更
【補正の内容】
【００１１】
本発明のローラユニットでは、前記湿潤発生手段は、液体を収容する液体収容手段と、前記液体収容手段に収容される前記液体に外面が接触可能に配されるとともに前記ローラに従動して回転する転写ローラと、湿潤量を調節する湿潤調節手段とを含むことを特徴とする。
また、本発明のローラユニットでは、前記湿潤調節手段は、前記転写ローラと前記液体収容手段にある前記液体との接触量を増減可能に構成されていることを特徴とする。
また、本発明のローラユニットでは、前記湿潤調節手段は、転写ローラに対して接触する前記液体収容手段にある前記液体の接触量を増減可能に構成されていることを特徴とする。
上記構成によれば、駆動ローラに従動して回転する転写ローラを備えることにより、液体収容手段に収容する液体を転写ローラ及び駆動ローラの外面に付着させて、記録媒体に湿潤を容易に付与することができる。また、湿潤調節手段により、転写ローラ及び駆動ローラの外面に付着する液体量を調節することで、記録媒体に付与する湿潤量の調節ができる。
【手続補正７】
【補正対象書類名】明細書
【補正対象項目名】００１２
【補正方法】変更
【補正の内容】
【００１２】
本発明のローラユニットでは、前記湿潤発生手段は、液体を収容する液体収容手段と、前記液体収容手段に収容される前記液体の液滴を吐出することで前記湿潤な雰囲気にする液体吐出ヘッドとを含むことを特徴とする。
上記構成によれば、液体収容手段に収容される液体を液体吐出ヘッドから吐出することにより、記録媒体に付与する湿潤（液滴）を容易に放出することができる。
【手続補正８】
【補正対象書類名】明細書
【補正対象項目名】００１３
【補正方法】変更
【補正の内容】
【００１３】
本発明のローラユニットでは、前記ローラは、前記湿潤発生手段により発生する湿潤な雰囲気を、前記ローラの外周側に伝達する伝達手段を含むことを特徴とする。
上記構成によれば、湿潤発生手段により発生する湿潤を、記録媒体との接触面に伝達する伝達手段を介して、ローラ外周面に確実に放出することができる。
【手続補正９】
【補正対象書類名】明細書
【補正対象項目名】００１４
【補正方法】変更
【補正の内容】
【００１４】
本発明のローラユニットでは、前記伝達手段は、前記ローラの前記中空部側に位置する内面と前記ローラの外周側に位置する外面とを貫通する孔であることを特徴とする。
上記構成によれば、湿潤発生手段により発生する湿潤を、ローラ内面と外面とを貫通する孔を介して、ローラ外周面に確実に放出することができる。
【手続補正１０】
【補正対象書類名】明細書
【補正対象項目名】００１５
【補正方法】変更
【補正の内容】
【００１５】
本発明のローラユニットでは、前記ローラは、駆動ローラと、前記駆動ローラに従動する従動ローラを含み、前記駆動ローラと前記従動ローラとで、前記記録媒体を搬送するローラ対を構成することを特徴とする。
上記構成によれば、記録媒体を搬送するローラ対のローラの内部に、記録媒体に湿潤を付与する湿潤発生手段を備えたことにより、湿潤発生手段において発生した湿潤な雰囲気を、短い伝達経路で効率良く記録媒体に付与することができ、記録媒体のカールや局所曲がりを確実に抑えることが可能な、ローラユニットを提供することができる。
【手続補正１１】
【補正対象書類名】明細書
【補正対象項目名】００１７
【補正方法】変更
【補正の内容】
【００１７】
本発明の記録装置は、記録媒体に液滴を吐出し前記記録媒体に記録する記録部と、回転することにより前記記録媒体を搬送するローラと、前記ローラの内部に記録媒体に湿潤を付与する湿潤発生手段とを備えたことを特徴とする。
また、本発明の記録装置は、記録媒体に液滴を吐出し前記記録媒体に記録する記録部と、中空部を有するとともに、回転可能なローラと、前記ローラの中空部に配された湿潤発生手段とを有することを特徴とする。
上記構成によれば、記録媒体を搬送するローラの内部に湿潤発生手段を備えたことにより、記録媒体に湿潤を確実に付与することで、記録媒体のカールや局所曲がりを確実に抑え、記録媒体の汚れや記録ヘッドの吐出面の損傷等がない記録装置を提供することができる。また、記録装置の小型化を図ることができる。
【手続補正１２】
【補正対象書類名】明細書
【補正対象項目名】００７０
【補正方法】変更
【補正の内容】
【００７０】
（１）湿潤発生手段は、前記ローラの外側に配置された容器に保持された液体を加熱手段が加熱することで該液体から放出された湿潤な雰囲気を前記ローラの内部へ送り込む流路を備え、該流路は送り込まれた湿潤な雰囲気をその外側へ放出可能な通気性を有することを特徴とするローラユニット。
【手続補正１３】
【補正対象書類名】明細書
【補正対象項目名】００７１
【補正方法】変更
【補正の内容】
【００７１】
（２）湿潤発生手段は、前記ローラの外側に配置された容器に保持された液体に超音波発生手段が超音波を付与することで該液体から放出された湿潤な雰囲気を前記ローラの内部へ送り込む流路を備え、該流路は送り込まれた湿潤な雰囲気をその外側へ放出可能な通気性を有するたことを特徴とするローラユニット。
【手続補正１４】
【補正対象書類名】明細書
【補正対象項目名】００７２
【補正方法】変更
【補正の内容】
【００７２】
（３）ローラが下側で、前記従動ローラが上側に配置されていることを特徴とするローラユニット。